(57)【特許請求の範囲】
【請求項１】
電気的に接離する接点部および弾性力を持って初期位置に復帰する被押圧部を有するスイッチ部材と、
前記スイッチ部材が収容されている支持体と、
前記支持体に傾動可能に軸支され、押圧部を介して前記スイッチ部材の被押圧部を押圧して前記接点部を接続させる駆動体と、を備え、
前記支持体に平面視で回動可能に設けられた操作つまみを回動させる操作によって前記スイッチ部材の前記接点部を接離させ、前記操作つまみを回動させている操作の解除時には前記スイッチ部材の前記被押圧部の弾性力で前記操作つまみが復帰される回動式スイッチ装置において、
前記操作つまみと一体成形もしくは別体で嵌合保持され、前記駆動体を傾動動作させる保持部材を備え、
前記支持体は、前記操作つまみを回動可能にしている回動支点を備え、
前記保持部材が、略円筒状側面を有する連結穴と、前記連結穴の前記略円筒状側面から連続するとともに前記略円筒状側面の仮想中心線の延長上に頂点を持つ略円錐状凹面を有するカム面と、を備え、
前記駆動体が前記連結穴に所定の隙間を持って挿入される連結軸を有し、
該連結軸の一端側には前記カム面に弾接する方向に付勢されるとともに略半球状の先端部を有するアクチュエータが配設され、
前記操作つまみの非操作状態において、前記駆動体の前記押圧部が前記スイッチ部材の前記被押圧部と当接した状態であるとともに、前記連結軸が前記アクチュエータの前記カム面への弾接力によって保持されていることを特徴とする回動式スイッチ装置。
【請求項２】
前記駆動体は、前記支持体に軸支される傾動軸と、前記傾動軸を挟んで等しい距離に形成された一対の前記押圧部と、を備え、
一対の前記押圧部に対応して一対の前記スイッチ部材が配設されているとともに、
前記操作つまみの前記回動支点が、平面視で前記傾動軸の延長線上に配設されていることを特徴とする請求項１に記載の回動式スイッチ装置。
【請求項３】
前記連結軸の一端側は、前記操作つまみの前記回動支点に対向する面が略平行面で構成されていることを特徴とする請求項１または請求項２に記載の回動式スイッチ装置。
【請求項４】
前記支持体は、前記操作つまみを回動させる操作に伴う前記保持部材の移動が可能な大きさの開口部を備え、
前記保持部材が、前記開口部を挿通するように配設されるとともに、平面視で前記開口部とオーバーラップして前記支持体に摺動するフランジ部を有することを特徴とする請求項１乃至請求項３のいずれかに記載の回動式スイッチ装置。
【請求項５】
前記保持部材は、前記カム面の略円錐状凹面の頂点側にさらに凹形状が形成され、該凹形状は平面視で前記操作つまみの前記回動支点に向かう方向を長手方向とする長穴であり、
前記アクチュエータの略半球状の前記先端部の一部が前記長穴に挿入されて、前記長穴の短手方向で前記長穴の縁部分に前記先端部が当接することによって支持されることを特徴とする請求項１乃至請求項４のいずれかに記載の回動式スイッチ装置。
【発明の詳細な説明】
【技術分野】
【０００１】
本発明は、回動式スイッチ装置に関し、特に、ガタがなく、操作感触が安定した回動式スイッチ装置に関する。
【背景技術】
【０００２】
車載シートの姿勢を電動で調整する車両用パワーシートが知られており、当該車両用パワーシートの可動部位を所望の方向に駆動させるためのスイッチ装置も種々提案されている。
【０００３】
例えば、特許文献１に、車両用パワーシートスイッチ装置において、回動支点を中心に回動される操作つまみと、当該操作つまみに駆動される駆動体と、当該駆動体によって押圧される揺動レバーを備えたスイッチ機構が開示されている。
【０００４】
図１８は、スイッチ装置１００の分解斜視図である。図１９は、スイッチ装置１００に備えられる第２操作つまみ１１５の内面図である。第４駆動体１１２は、両端部に押圧突起を有する板状に形成された押圧部１１２ａと、当該押圧部１１２ａの中央部より上向きに突設された係合部１１２ｂとから構成されている。押圧部１１２ａの中央部側面には、上ケース１１３に第４駆動体１１２を揺動可能に取り付けるためのピン挿入孔１１２ｃが開設されている。また、係合部１１２ｂの上端部は球状に形成されている。
【０００５】
第２操作つまみ１１５は、キャップ状に形成されており、その内面には、図１９に示すように、上ケース１１３の上面に突設されたつまみ保持軸１１３ｄに対して第２操作つまみ１１５を回転可能に取り付けるための略リング状の連結突起１１５ａが形成される。さらに、第２操作つまみ１１５の内面には、第４駆動体１１２に形成された係合部１１２ｂの先端を保持するための第４係合保持部１１５ｂが形成されている。第４係合保持部１１５ｂは、平行に配置された２枚の係合保持板をもって構成されており、その先端には、第４駆動体１１２に形成された係合部１１２ｂを係止するための係止爪１１５ｃが形成されている。
【０００６】
上ケース１１３の上面に突設されたつまみ保持軸１１３ｄを中心として第２操作つまみ１１５を一方向に操作すると、第４駆動体１１２が一方向に揺動され、第４レバースイッチ１０８に備えられた揺動レバー１０８ｂが選択的に押圧操作されて、第４レバースイッチ１０８に備えられた第１接点が非操作状態から操作状態に切り替えられる。
【０００７】
これに対して、上ケース１１３の上面に突設されたつまみ保持軸１１３ｄを中心として第２操作つまみ１１５を他方向に操作すると、第４駆動体１１２が他方向に揺動され、第４レバースイッチ１０８に備えられた揺動レバー１０８ｃが選択的に押圧操作されて、第４レバースイッチ１０８に備えられた第２接点が非操作状態から操作状態に切り替えられる。
【先行技術文献】
【特許文献】
【０００８】
【特許文献１】特開２００４−２８８３９３号公報
【発明の概要】
【発明が解決しようとする課題】
【０００９】
しかしながら、従来の構成では、第２操作つまみ１１５に第４駆動体１１２の係合部１１２ｂを保持するための第４係合保持部１１５ｂが設けられており、第４係合保持部１１５ｂで第４駆動体１１２を摺動可能に保持していた。つまり平面視で第２操作つまみ１１５が回動して第４駆動体１１２が直線動作を行うので、第４係合保持部１１５ｂは、第２操作つまみ１１５の回動動作に伴って第４駆動体１１２との距離が変化できるように距離方向に自由度を持って保持していた。よって摺動可能な寸法、すなわち第４駆動体１１２の幅よりも大きな幅が必要条件であるが、この寸法が大きすぎると操作つまみ（第２操作つまみ１１５）の待機状態にて駆動体（第４駆動体１１２）との間に大きなガタが発生してしまい、操作者にとって特に操作時に操作つまみをつかんだ際の感触が悪いものとなっていた。また、ガタがあると、車両の振動等で音を発生するという問題があった。
【００１０】
本発明は、上述した課題を解決するもので、ガタがなく、操作感触が安定した回動式スイッチ装置を提供することを目的とする。
【課題を解決するための手段】
【００１１】
本発明は、電気的に接離する接点部および弾性力を持って初期位置に復帰する被押圧部を有するスイッチ部材と、前記スイッチ部材が収容されている支持体と、前記支持体に傾動可能に軸支され、押圧部を介して前記スイッチ部材の被押圧部を押圧して前記接点部を接続させる駆動体と、を備え、前記支持体に平面視で回動可能に設けられた操作つまみを回動させる操作によって前記スイッチ部材の前記接点部を接離させ、前記操作つまみを回動させている操作の解除時には前記スイッチ部材の前記被押圧部の弾性力で前記操作つまみが復帰される回動式スイッチ装置において、前記操作つまみと一体成形もしくは別体で嵌合保持され、前記駆動体を傾動動作させる保持部材を備え、前記支持体は、前記操作つまみを回動可能にしている回動支点を備え、前記保持部材が、略円筒状側面を有する連結穴と、前記連結穴の前記略円筒状側面から連続するとともに前記略円筒状側面の仮想中心線の延長上に頂点を持つ略円錐状凹面を有するカム面と、を備え、前記駆動体が前記連結穴に所定の隙間を持って挿入される連結軸を有し、該連結軸の一端側には前記カム面に弾接する方向に付勢されるとともに略半球状の先端部を有するアクチュエータが配設され、前記操作つまみの非操作状態において、前記駆動体の前記押圧部が前記スイッチ部材の前記被押圧部と当接した状態であるとともに、前記連結軸が前記アクチュエータの前記カム面への弾接力によって保持されていることを特徴とする。
【００１２】
この構成によれば、駆動体を傾動動作させる保持部材にカム面を設け、駆動体にはカム面に弾接するアクチュエータを設けたので、保持部材の連結穴と駆動体の連結軸との間に所定の隙間があってもカム面とアクチュエータの弾性保持力で駆動体はガタがない状態に保持される。また、駆動体はスイッチ部材に当接するように配設されているので、スイッチ部材との間でもガタがない状態に保持される。また、保持部材と操作つまみとの間も一体成型もしくは嵌合としたので、この部分でもガタが発生することはない。結果として部品精度を上げることなく装置内のすべてのガタがない状態とすることができる。
【００１３】
また、本発明の回動式スイッチ装置において、前記駆動体は、前記支持体に軸支される傾動軸と、前記傾動軸を挟んで等しい距離に形成された一対の前記押圧部と、を備え、一対の前記押圧部に対応して一対の前記スイッチ部材が配設されているとともに、前記操作つまみの前記回動支点が、平面視で前記傾動軸の延長線上に配設されていることを特徴とする。
【００１４】
この構成によれば、一対のスイッチ部材は駆動体の傾動軸および操作つまみの回動支点から見て対称な位置に配設されているので、駆動体の傾動動作は、操作つまみの回転動作の接線上を左右均等に動作する。このため、操作つまみの操作方向による操作感に差が生じることがない。
【００１５】
また、本発明の回動式スイッチ装置において、前記連結軸の一端側は、前記操作つまみの前記回動支点に対向する面が略平行面で構成されていることが好ましい。
【００１６】
この構成によれば、連結軸の一端側が平面視で方向性を持った略平行な形状であるので、本来ギャップが不要な周方向に余分なガタが発生しなくなり、効率良く操作者の回動動作を伝達でき、操作感触がよい。
【００１７】
また、本発明の回動式スイッチ装置において、前記支持体は、前記操作つまみを回動させる操作に伴う前記保持部材の移動が可能な大きさの開口部を備え、前記保持部材が、前記開口部を挿通するように配設されるとともに、平面視で前記開口部とオーバーラップして前記支持体に摺動するフランジ部を有することが好適である。
【００１８】
この構成によれば、保持部材が開口部とオーバーラップするフランジ部を有するので、開口部からごみ等が入るのを抑制することができる。また操作つまみの回動動作のガイドとなり操作つまみの動作が安定する。
【００１９】
また、本発明の回動式スイッチ装置において、前記保持部材は、前記カム面の略円錐状凹面の頂点側にさらに凹形状が形成され、該凹形状が平面視で前記操作つまみの前記回動支点に向かう方向を長手方向とする長穴であり、前記アクチュエータの略半球状の前記先端部の一部が前記長穴に挿入されて、前記長穴の短手方向で前記長穴の縁に前記先端部が当接することによって支持されることが好ましい。
【００２０】
この構成によれば、長穴の長手方向が回転半径の変化する方向であり、かつ長穴の縁でアクチュエータの先端部が支持されるので、よりスムーズな動きになり、負荷変動がなく安定した感触が得られる。
【発明の効果】
【００２１】
本発明によれば、駆動体の押圧部がスイッチ部材の被押圧部と当接した状態であるとともに、駆動体を傾動動作させる保持部材にカム面を設け、駆動体にはカム面に弾接するアクチュエータを設けたので、ガタがなく、操作感触が安定した回動式スイッチ装置を提供することができる。
【図面の簡単な説明】
【００２２】
【図１】本発明の第１実施形態の回動式スイッチ装置を示す部分斜視図である。
【図２】本発明の第１実施形態の回動式スイッチ装置を示す部分分解斜視図である。
【図３】本発明の第１実施形態の回動式スイッチ装置を示す部分平面図である。
【図４】図３のＩＶ−ＩＶ線で切断した部分断面図である。
【図５】図３のＶ−Ｖ線で切断した部分断面図である。
【図６】アクチュエータが配設された駆動体を示す説明図である。
【図７】操作つまみの第１操作方向への操作を示す説明図である。
【図８】図５に対応する部分断面図であり、第１操作方向への操作による駆動体の傾動動作を示す説明図である。
【図９】操作つまみの第２操作方向への操作を示す説明図である。
【図１０】図５に対応する部分断面図であり、第２操作方向への操作による駆動体の傾動動作を示す説明図である。
【図１１】本発明の第２実施形態の回動式スイッチ装置を示す部分分解斜視図である。
【図１２】保持部材の外観図であり、図１２（ａ）はＹ１側から見た正面図であり、図１２（ｂ）はＺ２側から見た底面図である。
【図１３】図１２（ａ）のＸＩＩＩ−ＸＩＩＩ線で切断した断面図である。
【図１４】図１２（ｂ）のＸＩＶ−ＸＩＶ線で切断した断面図である。
【図１５】本実施形態の回動式スイッチ装置２を示す部分平面図である。
【図１６】図１５のＸＶＩ−ＸＶＩ線で切断した断面図である。
【図１７】図１５のＸＶＩＩ−ＸＶＩＩ線で切断した断面図である。
【図１８】従来のスイッチ装置の分解斜視図である。
【図１９】従来のスイッチ装置に備えられる第２操作つまみの内面図である。
【発明を実施するための形態】
【００２３】
［第１実施形態］
以下、本発明の実施の形態について図面を用いて詳細に説明する。なお、分かりやすいように、図面は寸法を適宜変更している。
【００２４】
図１は、本発明の第１実施形態の回動式スイッチ装置１を示す部分斜視図である。図２は、本実施形態の回動式スイッチ装置１を示す部分分解斜視図である。図３は、本実施形態の回動式スイッチ装置１を示す部分平面図である。図４は、図３のＩＶ−ＩＶ線で切断した部分断面図である。図５は、図３のＶ−Ｖ線で切断した部分断面図である。図６は、アクチュエータ３１が配設された駆動体２０を示す説明図である。
【００２５】
本実施形態の回動式スイッチ装置１は、車両用パワーシートスイッチ装置に使用される回動式スイッチとして最適化されている。図１〜図３では、本実施形態の回動式スイッチ装置１を説明するために必要な部分のみを示し、車両用パワーシートスイッチ装置の操作面を平面視したときに、回動式スイッチ装置１の周囲に配置された他の構成部品は省略している。なお、以下の説明においては、車両用パワーシートスイッチ装置の操作面をＸ−Ｙ平面として、図１のＺ１側を上側、Ｚ２側を下側として記載し、また、Ｚ１側からＺ２側を見ることを平面視と呼んでいる。これは説明を分かりやすくするためであり、回動式スイッチ装置１および車両用パワーシートスイッチ装置の取り付け方向を限定するものではない。
【００２６】
回動式スイッチ装置１は、図２に示すように、基板１５を内蔵した支持体５０と、支持体５０に収容されている一対のスイッチ部材１０と、支持体５０に傾動可能に軸支されている駆動体２０と、駆動体２０を傾動動作させる保持部材４０とを備えている。保持部材４０は、操作者が操作するための操作つまみ４５に嵌合保持されている。
【００２７】
支持体５０は、合成樹脂を成形したものであり、基板１５が載置される下ケース５１と、保持部材４０を挿通するための開口部５２ａが形成された上ケース５２と、駆動体２０を軸支するための支持部５３ａが形成された駆動機構部５３と、を備えている。上ケース５２には図２〜図５に示すように、円柱状に形成された軸部５２ｂが突出配置されている。また、駆動機構部５３には、一対のスイッチ部材１０に対応する位置に摺動部５３ｂ、５３ｃが形成されている。
【００２８】
操作つまみ４５は、合成樹脂を成形したものであり、軸部５２ｂの中心軸が回動支点４５ａとなって、支持体５０に平面視で回動可能とされるように設けられている。
【００２９】
一対のスイッチ部材１０は、電気的に接離する接点部１１および弾性力を持って初期位置に復帰する被押圧部１２を有している。基板１５には電気配線が形成され、スイッチ部材１０の接点部１１の一部を構成している。それぞれのスイッチ部材１０の被押圧部１２は、基板１５を覆うように配設されたラバー部材１６の当該箇所に形成されている。接点部１１は、被押圧部１２に設けられた可動接点（図示しない）と、基板１５の電気配線に接続されるように形成された複数の固定接点とから構成される。なお、スイッチ部材１０は、この態様に限定されるものではなく、例えば、既製のスイッチユニットを基板１５に配設したものであってもよい。
【００３０】
駆動体２０は、合成樹脂を成形したものである。駆動体２０は、傾動軸２１と、傾動軸２１の軸方向に直交する方向に延在する腕部２３、２４と、傾動軸２１の軸方向および腕部２３、２４の延在方向に直交して突出形成された連結軸２２と、腕部２３、２４の両端に配置された摺動部材２５、２６とを備えている。駆動体２０は、傾動軸２１が駆動機構部５３の支持部５３ａに軸支されるように配置され、摺動部材２５、２６が駆動機構部５３の摺動部５３ｂ、５３ｃを摺動可能なように配置されている。摺動部材２５、２６には、一対のスイッチ部材１０の被押圧部１２に当接する一対の押圧部２７、２８が、傾動軸２１を挟んで等しい距離に形成されている。なお、本実施形態では、摺動部材２５、２６が腕部２３、２４とは別体で構成されており、摺動部５３ｂ、５３ｃに沿ってより円滑に摺動できるように考慮されている。
【００３１】
本実施形態では、操作つまみ４５を回動可能にしている回動支点４５ａが、平面視で、駆動体２０の傾動軸２１の延長線上に配設されている（図３および図４参照）。駆動体２０は、傾動軸２１の軸方向に直交する方向に延在する腕部２３、２４と、傾動軸２１を挟んで等しい距離に形成された一対の押圧部２７、２８と、を備える。また、駆動体２０の連結軸２２の一端側は、図６に示すように、全体的には略球形を有している。そして、操作つまみ４５の回動方向に沿って平面状に削られている。すなわち、ダブルＤカットと呼ばれる形状になっており、言い換えると、操作つまみ４５の回動支点４５ａに対向する対向面２２ａ、２２ｂが略平行面で構成されている。
【００３２】
図６に示すように、連結軸２２の一端側にはアクチュエータ３１が配設されている。アクチュエータ３１は、合成樹脂を棒状に成形したものであり、一端側が半球状の先端部３１ａを有している。図２に示すように、他端側には金属製のコイルバネ３２が取り付けられている。コイルバネ３２は僅かに圧縮された状態で配置されており、アクチュエータ３１はコイルバネ３２が伸長する方向に付勢される。
【００３３】
保持部材４０は、合成樹脂を成形したものである。保持部材４０は、平板状のフランジ部４２と、フランジ部４２の上面４２ａから上方に突出した操作部４１と、フランジ部４２の下面４２ｂに形成された連結穴４３と、連結穴４３の底に形成された略円錐状凹面を有するカム面４４と、を備えている。図４および図５に示すように、連結穴４３は略円筒状側面４３ａを有している。カム面４４は、連結穴４３の略円筒状側面４３ａから連続する略円錐状凹面であり、略円筒状側面４３ａの仮想中心線４３ｂの延長上に頂点を持つ。駆動体２０は、連結軸２２の一端側が略円筒状側面４３ａを有する連結穴４３に所定の隙間を持って挿入される。そして、カム面４４に前述したアクチュエータ３１が弾接することで、連結軸２２がアクチュエータ３１のカム面４４への弾接力によって保持されている。
【００３４】
保持部材４０は、操作部４１が上ケース５２の開口部５２ａを挿通して上方に突出するように配置される。保持部材４０は、操作部４１が操作つまみ４５と嵌合保持されるとともに、フランジ部４２が開口部５２ａとオーバーラップして開口部５２ａを塞ぐようにして上ケース５２の下面に当接する。保持部材４０は、操作つまみ４５を回動操作するのに伴って、フランジ部４２が上ケース５２の下面と摺動するようにして平面移動する。言い換えれば、フランジ部４２が操作つまみ４５の回動動作のガイドとなっている。
【００３５】
開口部５２ａは、操作つまみ４５を回動させる操作に伴う保持部材４０の移動が可能な大きさを有する。保持部材４０の移動方向は、操作つまみ４５の回動方向であり、移動距離は大きくないものの、回動支点４５ａを中心とする円弧の軌跡である。
【００３６】
本実施形態の回動式スイッチ装置１は、操作つまみ４５の非操作状態において、駆動体２０の押圧部２７、２８がスイッチ部材１０の被押圧部１２と当接した状態であるとともに、連結軸２２がアクチュエータ３１のカム面４４への弾接力によって保持されている。カム面４４が略円錐状凹面であり、仮想中心線４３ｂの延長上に頂点を持っているので、連結穴４３と連結軸２２の一端側との間に所定の隙間があっても、カム面４４とアクチュエータ３１の弾性保持力で、仮想中心線４３ｂからのズレが極小化される。これにより、駆動体２０はガタがない状態に保持される。操作つまみ４５を回動させる操作によってスイッチ部材１０の接点部１１を電気接続させ、操作つまみ４５を回動させている操作の解除時にはスイッチ部材１０の被押圧部１２の弾性力で操作つまみ４５が復帰される。
【００３７】
操作つまみ４５を回動操作したときの駆動体２０の傾動動作について詳述する。
【００３８】
図７は、操作つまみ４５の第１操作方向への操作を示す説明図である。図８は、図５に対応する部分断面図であり、第１操作方向への操作による駆動体２０の傾動動作を示す説明図である。図９は、操作つまみ４５の第２操作方向への操作を示す説明図である。図１０は、図５に対応する部分断面図であり、第２操作方向への操作による駆動体２０の傾動動作を示す説明図である。
【００３９】
操作つまみ４５が第１操作方向（図７の矢印Ａ方向）へ操作されると、保持部材４０が図７に示すように移動する。このとき、駆動体２０は、図８に示すように、押圧部２７を介してＹ１側のスイッチ部材１０の被押圧部１２を下方へ変位させるように傾動する。これにより、Ｙ１側のスイッチ部材１０の接点部１１が電気接続される。
【００４０】
操作つまみ４５を回動させている操作を解除すると、Ｙ１側のスイッチ部材１０の被押圧部１２が弾性力で復帰して押圧部２７が上方へ変位し、初期位置に操作つまみ４５が復帰される。なお、連結軸２２がアクチュエータ３１のカム面４４への弾接力によって保持されているので、操作時および解除時に操作者がガタを感じることはない。
【００４１】
操作つまみ４５が第２操作方向（図７の矢印Ｂ方向）へ操作されると、保持部材４０が図９に示すように移動する。このとき、駆動体２０は、図１０に示すように、押圧部２８を介してＹ２側のスイッチ部材１０の被押圧部１２を下方へ変位させるように傾動する。これにより、Ｙ２側のスイッチ部材１０の接点部１１が電気接続される。
【００４２】
操作つまみ４５を回動させている操作を解除すると、Ｙ２側のスイッチ部材１０の被押圧部１２が弾性力で復帰して押圧部２８が上方へ変位し、初期位置に操作つまみ４５が復帰される。なお、連結軸２２がアクチュエータ３１のカム面４４への弾接力によって保持されているので、操作時および解除時に操作者がガタを感じることはない。
【００４３】
また、一対のスイッチ部材１０は駆動体２０の傾動軸２１および操作つまみ４５の回動支点４５ａから見て対称な位置に配設されているので、駆動体２０の傾動動作は、操作つまみ４５の回転動作の接線上を左右均等に動作する。このため、操作つまみ４５の操作方向による操作感に差が生じることがない。
【００４４】
駆動体２０の連結軸２２の一端側およびアクチュエータ３１の先端部３１ａが略球面であるため、図８または図１０の傾動状態に至るまでの傾動角度範囲において、円滑に動作することが可能である。また、この傾動角度範囲において、コイルバネ３２によって付勢されたアクチュエータ３１がカム面４４へ弾接する状態を保持している。カム面４４が、略円錐状凹面であり仮想中心線４３ｂの延長上に頂点を持っているので、連結穴４３と連結軸２２の一端側との間に所定の隙間があっても、カム面４４とアクチュエータ３１の弾性保持力で、駆動体２０はガタがない状態に保持される。
【００４５】
さらに、駆動体２０の連結軸２２の一端側は、回動支点４５ａに対向する対向面２２ａ、２２ｂが略平行面で構成されているので、図４に示すように、連結軸２２の一端側と連結穴４３の略円筒状側面４３ａとの隙間が僅かに広くなった方向（Ｘ１−Ｘ２方向）を有している。これにより、保持部材４０が回動支点４５ａを中心とする円弧の方向に移動するときに発生するＸ１方向への変位もしくはＸ１−Ｘ２方向の部品寸法のばらつきにより、連結軸２２と略円筒状側面４３ａとが強く当接して連結軸２２の動きが悪化してしまうことが防止される。
【００４６】
本実施形態とは異なり、この変位を吸収するために連結軸２２の一端側の球径と連結穴４３の略円筒状側面４３ａの内径との隙間を広くした場合には、そのギャップによるガタが全周に発生してしまう。これに対し、本実施形態のように、連結軸２２の一端側が、回動支点４５ａに対向する対向面２２ａ、２２ｂが略平行面で構成された略球面であれば、本来追加のギャップが不要な周方向（Ｙ１−Ｙ２方向）に余分なガタが発生しなくなり、効率良く操作者の回動動作を伝達でき、操作感触がよい。
【００４７】
以下、本実施形態としたことによる効果について説明する。
【００４８】
本実施形態の回動式スイッチ装置１は、スイッチ部材１０と、スイッチ部材１０が収容されている支持体５０と、支持体５０に傾動可能に軸支され、スイッチ部材１０の被押圧部１２を押圧して接点部１１を電気的に接続させる駆動体２０と、を備える。被押圧部１２は弾性力を持って初期位置に復帰する。支持体５０に平面視で回動可能に設けられた操作つまみ４５を回動させる操作によってスイッチ部材１０の接点部１１を接離させ、操作つまみ４５を回動させている操作の解除時にはスイッチ部材１０の被押圧部１２の弾性力で操作つまみ４５が復帰される。そして、操作つまみ４５と嵌合保持され、駆動体２０を傾動動作させる保持部材４０を備え、支持体５０は操作つまみ４５を回動可能にしている回動支点４５ａを備える。この保持部材４０が、略円筒状側面４３ａを有する連結穴４３と、連結穴４３の略円筒状側面４３ａから連続するとともに略円筒状側面４３ａの仮想中心線４３ｂの延長上に頂点を持つ略円錐状凹面を有するカム面４４と、を備える。さらに、駆動体２０が連結穴４３に所定の隙間を持って挿入される連結軸２２を有し、連結軸２２の一端側にはカム面４４に弾接する方向に付勢されるとともに略半球状の先端部３１ａを有するアクチュエータ３１が配設される。操作つまみ４５の非操作状態において、駆動体２０の押圧部２７、２８がスイッチ部材１０の被押圧部１２と当接した状態であるとともに、連結軸２２がアクチュエータ３１のカム面４４への弾接力によって保持されている。
【００４９】
この構成によれば、保持部材４０の連結穴４３と駆動体２０の連結軸２２との間に所定の隙間があってもカム面４４とアクチュエータ３１の弾性保持力で駆動体２０はガタがない状態に保持される。また、駆動体２０はスイッチ部材１０に当接するように配設されているので、スイッチ部材１０との間でもガタがない状態に保持される。また、保持部材４０と操作つまみ４５との間も嵌合としたので、この部分でもガタが発生することはない。結果として部品精度を上げることなく回動式スイッチ装置１内のすべてのガタがない状態とすることができる。
【００５０】
また、本実施形態の回動式スイッチ装置１において、駆動体２０は、支持体５０に軸支される傾動軸２１と、傾動軸２１を挟んで等しい距離に形成された一対の押圧部２７、２８と、を備える。さらに、一対の押圧部２７、２８に対応して一対のスイッチ部材１０が配設されているとともに、操作つまみ４５の回動支点４５ａが、平面視で傾動軸２１の延長線上に配設されている。
【００５１】
この構成によれば、一対のスイッチ部材１０は駆動体２０の傾動軸２１および操作つまみ４５の回動支点４５ａから見て対称な位置に配設されているので、駆動体２０の傾動動作は、操作つまみ４５の回転動作の接線上を左右均等に動作する。このため、操作つまみ４５の操作方向による操作感に差が生じることがない。
【００５２】
また、本実施形態の回動式スイッチ装置１において、連結軸２２の一端側は、操作つまみ４５の回動支点４５ａに対向する対向面２２ａ、２２ｂが略平行面で構成されていることが好ましい。
【００５３】
この構成によれば、連結軸２２の一端側が平面視で方向性を持った略平行な形状であるので、本来ギャップが不要な周方向に余分なガタが発生しなくなり、効率良く操作者の回動動作を伝達でき、操作感触がよい。
【００５４】
また、本実施形態の回動式スイッチ装置１において、支持体５０は、操作つまみ４５を回動させる操作に伴う保持部材４０の移動が可能な大きさの開口部５２ａを備える。そして、保持部材４０が、開口部５２ａを挿通するように配設されるとともに、平面視で開口部５２ａとオーバーラップして支持体５０に摺動するフランジ部４２を有することが好適である。
【００５５】
この構成によれば、保持部材４０が開口部５２ａとオーバーラップするフランジ部４２を有するので、開口部５２ａからごみ等が入るのを抑制することができる。また操作つまみ４５の回動動作のガイドとなり操作つまみ４５の動作が安定する。
【００５６】
以上のように、本発明の第１実施形態の回動式スイッチ装置１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００５７】
（１）本実施形態において、一対のスイッチ部材１０が傾動軸２１および回動支点４５ａから見て対称な位置に配設されているとしたが、スイッチ部材１０がいずれか一方だけに配置された回動式スイッチ装置であってもよい。
【００５８】
（２）本実施形態において、保持部材４０は操作つまみ４５と別体で、操作つまみ４５と嵌合保持されているとしたが、保持部材４０は操作つまみ４５と一体成形であってもよい。この場合、操作部４１が開口部５２ａを挿通するように配設されるとともにフランジ部４２が開口部５２ａとオーバーラップするように取り付けられることが好ましい。例えば、上ケース５２を２分割した部材として、これを組み合わせて取り付けるようにすればよい。また、上ケース５２に突出する軸部５２ｂを設ける構成に限定されず、操作つまみ４５に軸部を設け、上ケース５２に設けた穴に嵌合させて軸支させてもよい。
【００５９】
（３）本実施形態において、支持体５０が下ケース５１と上ケース５２と駆動機構部５３とに分割された態様としたが、駆動機構部５３は下ケース５１に一体化された構成であってもよい。また、駆動機構部５３が、下ケース５１に一体化された部材と、上ケース５２に一体化された部材とに分割された態様であってもよい。
【００６０】
（４）本実施形態において、保持部材４０のカム面４４は略円錐状凹面であるとしたが、仮想中心線４３ｂの周りで回転対象の楕円体状の凹面であってもよい。
【００６１】
（５）本実施形態において、駆動体２０の連結軸２２の一端側は全体的には略球形を有し、操作つまみ４５の回動支点４５ａに対向する対向面２２ａ、２２ｂが略平行面で構成されているとしたが、連結軸２２の一端側からの平面視で楕円形となる形状であってもよい。
【００６２】
（６）本実施形態において、操作つまみ４５は回動支点４５ａから操作部４１側に延在した平面視で長方形の形状としたが、操作つまみ４５の外形については任意のデザインが可能である。また、操作つまみ４５が略長方形の外形に限らず、例えば、回動支点４５ａを中心とする略円盤状の外形であってもよい。
【００６３】
［第２実施形態］
以下、本発明の第２実施形態の回動式スイッチ装置２について、図面を用いて説明する。なお、第２実施形態の回動式スイッチ装置２は、第１実施形態の回動式スイッチ装置１とほぼ同じ外観形状であり、保持部材４０を後述する保持部材６０に置き換えたものである。第２実施形態の回動式スイッチ装置２に用いられている部材の材質は、第１実施形態の回動式スイッチ装置１の各部材と同じである。また、保持部材６０以外の部材については、第１実施形態で用いた符号を付けて、その詳細な説明を省略する。
【００６４】
図１１は、第２実施形態の回動式スイッチ装置２を示す部分分解斜視図である。図１２は、保持部材６０の外観図であり、図１２（ａ）はＹ１側から見た正面図であり、図１２（ｂ）はＺ２側から見た底面図である。図１３は、図１２（ａ）のＸＩＩＩ−ＸＩＩＩ線で切断した断面図である。図１４は、図１２（ｂ）のＸＩＶ−ＸＩＶ線で切断した断面図である。図１５は、本実施形態の回動式スイッチ装置２を示す部分平面図である。図１６は、図１５のＸＶＩ−ＸＶＩ線で切断した断面図である。図１７は、図１５のＸＶＩＩ−ＸＶＩＩ線で切断した断面図である。
【００６５】
回動式スイッチ装置２は、図１１に示すように、基板１５を内蔵した支持体５０と、支持体５０に収容されている一対のスイッチ部材１０と、支持体５０に傾動可能に軸支されている駆動体２０と、駆動体２０を傾動動作させる保持部材６０とを備えている。保持部材６０は、操作者が操作するための操作つまみ４５に嵌合保持されている。
【００６６】
駆動体２０は、傾動軸２１と、傾動軸２１の軸方向に直交する方向に延在する腕部２３、２４と、傾動軸２１の軸方向および腕部２３、２４の延在方向に直交して突出形成された連結軸２２と、腕部２３、２４の両端に配置された摺動部材２５、２６とを備えている。摺動部材２５、２６には、一対の押圧部２７、２８が傾動軸２１を挟んで等しい距離に形成されている。
【００６７】
さらに、一対の押圧部２７、２８に対応して一対のスイッチ部材１０が配設されているとともに、操作つまみ４５の回動支点４５ａが、平面視で傾動軸２１の延長線上に配設されている。
【００６８】
また、連結軸２２の一端側は、操作つまみ４５の回動支点４５ａに対向する対向面２２ａ、２２ｂが略平行面で構成されている。
【００６９】
本実施形態においても、被押圧部１２は弾性力を持って初期位置に復帰する。支持体５０に平面視で回動可能に設けられた操作つまみ４５を回動させる操作によってスイッチ部材１０の接点部１１を接離させ、操作つまみ４５を回動させている操作の解除時にはスイッチ部材１０の被押圧部１２の弾性力で操作つまみ４５が復帰される。
【００７０】
操作つまみ４５は、合成樹脂を成形したものであり、軸部５２ｂの中心軸が回動支点４５ａとなって、支持体５０に平面視で回動可能とされるように設けられている。
【００７１】
保持部材６０は、合成樹脂を成形したものである。保持部材６０は、平板状のフランジ部６２と、フランジ部６２の上面６２ａから上方に突出した操作部６１と、フランジ部６２の下面６２ｂに形成された連結穴６３と、連結穴６３の底に形成された略円錐状凹面を有するカム面６４と、を備えている。本実施形態では、図１２〜図１４に示すように、連結穴６３は、Ｙ１−Ｙ２方向に比べてＸ１−Ｘ２方向に長い略円筒状側面６３ａを有している。すなわち、図１２（ｂ）に示すように、底面側からの平面視で角丸長方形（長方形の対向する２辺に、半円が接続された形状）の穴になっている。カム面６４は、連結穴６３の略円筒状側面６３ａから連続する略円錐状凹面であり、略円筒状側面６３ａの仮想中心線６３ｂの延長上に頂点を持つ。本実施形態では、カム面６４は、円錐を縦に２分割して長方形のテーパー面で接続した形状になっている。さらに、カム面６４は、略円錐状凹面の頂点側にさらに凹形状が形成され、図１２（ｂ）に示すように、該凹形状は平面視でＸ１−Ｘ２方向を長手方向とする長穴６５になっている。この長穴６５のカム面６４に面している縁６５ａは、底面側からの平面視で角丸長方形である。
【００７２】
保持部材６０は、操作部６１が上ケース５２の開口部５２ａを挿通して上方に突出するように配置される。保持部材６０は、操作部６１が操作つまみ４５と嵌合保持されるとともに、フランジ部６２が開口部５２ａとオーバーラップして開口部５２ａを塞ぐようにして上ケース５２の下面に当接する。保持部材６０は、操作つまみ４５を回動操作するのに伴って、フランジ部６２が上ケース５２の下面と摺動するようにして平面移動する。言い換えれば、フランジ部６２が操作つまみ４５の回動動作のガイドとなっている。
【００７３】
開口部５２ａは、操作つまみ４５を回動させる操作に伴う保持部材６０の移動が可能な大きさを有する。保持部材６０の移動方向は、操作つまみ４５の回動方向であり、移動距離は大きくないものの、回動支点４５ａを中心とする円弧の軌跡である。
【００７４】
本実施形態の回動式スイッチ装置２は、操作つまみ４５の非操作状態（図１５）において、図１７に示すように、駆動体２０の押圧部２７、２８がスイッチ部材１０の被押圧部１２と当接した状態である。そして、連結軸２２が、コイルバネ３２で付勢されたアクチュエータ３１のカム面６４への弾接力によって保持されている。
【００７５】
保持部材６０のカム面６４には、平面視で操作つまみ４５の回動支点４５ａに向かう方向を長手方向とする凹形状の長穴６５が形成されている。操作つまみ４５の非操作状態では、アクチュエータ３１の略半球状の先端部３１ａの一部が長穴６５に挿入されて、図１７に示すように、長穴６５の短手方向で縁６５ａに先端部３１ａが当接することによって支持される。このとき、長穴６５の長手方向では、図１６に示すように、アクチュエータ３１の略半球状の先端部３１ａが非接触状態である。この長穴６５の縁６５ａとアクチュエータ３１の先端部３１ａとの接触は、長穴６５の短手方向の縁６５ａでの２点の点接触となるため、よりスムーズな動きが得られる。
【００７６】
操作つまみ４５を操作すると、第１実施形態と同様に、保持部材６０の回動動作が駆動体２０の傾動動作に変換される。本実施形態においても、カム面６４が略円錐状凹面であり、仮想中心線６３ｂの延長上に頂点を持っているので、カム面６４とアクチュエータ３１の弾性保持力で、仮想中心線６３ｂからのズレが極小化される。これにより、駆動体２０はガタがない状態に保持される。さらに、長穴６５の長手方向が回転半径の変化する方向であり、かつ長穴６５の縁６５ａでアクチュエータ３１の先端部３１ａが支持されるので、よりスムーズな動きが得られる。
【００７７】
さらに、操作つまみ４５の回動操作において、長穴６５の長手方向に沿ってカム面６４の略円錐状凹面まで先端部３１ａが移動可能とした場合には、先端部３１ａの移動に伴う操作感触を得ることが可能である。例えば、先端部３１ａがカム面６４の略円錐状凹面に当接している状態から、先端部３１ａの一部が長穴６５に挿入される状態へと遷移する際、コイルバネ３２が伸長する方向にアクチュエータ３１が付勢されて長穴６５の縁６５ａに当接する。これにより、スイッチ部材１０の被押圧部１２の弾性力で初期位置に復帰するのと同時に、コイルバネ３２に付勢されたアクチュエータ３１による操作感触が得られる。本実施形態の構成とすることにより、この操作感触は、操作ごとの余計な引掛りがなくなり、負荷変動がなく、繰り返し操作を行っても常に安定した感触が得られる。
【００７８】
以下、本実施形態としたことによる効果について説明する。
【００７９】
本実施形態の回動式スイッチ装置２は、スイッチ部材１０と、スイッチ部材１０が収容されている支持体５０と、支持体５０に傾動可能に軸支され、スイッチ部材１０の被押圧部１２を押圧して接点部１１を電気的に接続させる駆動体２０と、を備える。被押圧部１２は弾性力を持って初期位置に復帰する。支持体５０に平面視で回動可能に設けられた操作つまみ４５を回動させる操作によってスイッチ部材１０の接点部１１を接離させ、操作つまみ４５を回動させている操作の解除時にはスイッチ部材１０の被押圧部１２の弾性力で操作つまみ４５が復帰される。そして、操作つまみ４５と嵌合保持され、駆動体２０を傾動動作させる保持部材６０を備え、支持体５０は操作つまみ４５を回動可能にしている回動支点４５ａを備える。この保持部材６０が、略円筒状側面６３ａを有する連結穴６３と、連結穴６３の略円筒状側面６３ａから連続するとともに略円筒状側面６３ａの仮想中心線６３ｂの延長上に頂点を持つ略円錐状凹面を有するカム面６４と、を備える。さらに、駆動体２０が連結穴６３に所定の隙間を持って挿入される連結軸２２を有し、連結軸２２の一端側にはカム面６４に弾接する方向に付勢されるとともに略半球状の先端部３１ａを有するアクチュエータ３１が配設される。操作つまみ４５の非操作状態において、駆動体２０の押圧部２７、２８がスイッチ部材１０の被押圧部１２と当接した状態であるとともに、連結軸２２がアクチュエータ３１のカム面６４への弾接力によって保持されている。
【００８０】
この構成によれば、保持部材６０の連結穴６３と駆動体２０の連結軸２２との間に所定の隙間があってもカム面６４とアクチュエータ３１の弾性保持力で駆動体２０はガタがない状態に保持される。また、駆動体２０はスイッチ部材１０に当接するように配設されているので、スイッチ部材１０との間でもガタがない状態に保持される。また、保持部材６０と操作つまみ４５との間も嵌合としたので、この部分でもガタが発生することはない。結果として部品精度を上げることなく回動式スイッチ装置２内のすべてのガタがない状態とすることができる。
【００８１】
また、本実施形態の回動式スイッチ装置２において、駆動体２０は、支持体５０に軸支される傾動軸２１と、傾動軸２１を挟んで等しい距離に形成された一対の押圧部２７、２８と、を備える。さらに、一対の押圧部２７、２８に対応して一対のスイッチ部材１０が配設されているとともに、操作つまみ４５の回動支点４５ａが、平面視で傾動軸２１の延長線上に配設されている。
【００８２】
この構成によれば、一対のスイッチ部材１０は駆動体２０の傾動軸２１および操作つまみ４５の回動支点４５ａから見て対称な位置に配設されているので、駆動体２０の傾動動作は、操作つまみ４５の回転動作の接線上を左右均等に動作する。このため、操作つまみ４５の操作方向による操作感に差が生じることがない。
【００８３】
また、本実施形態の回動式スイッチ装置２において、連結軸２２の一端側は、操作つまみ４５の回動支点４５ａに対向する対向面２２ａ、２２ｂが略平行面で構成されていることが好ましい。
【００８４】
この構成によれば、連結軸２２の一端側が平面視で方向性を持った略平行な形状であるので、本来ギャップが不要な周方向に余分なガタが発生しなくなり、効率良く操作者の回動動作を伝達でき、操作感触がよい。
【００８５】
また、本実施形態の回動式スイッチ装置２において、支持体５０は、操作つまみ４５を回動させる操作に伴う保持部材６０の移動が可能な大きさの開口部５２ａを備える。そして、保持部材６０が、開口部５２ａを挿通するように配設されるとともに、平面視で開口部５２ａとオーバーラップして支持体５０に摺動するフランジ部６２を有することが好適である。
【００８６】
この構成によれば、保持部材６０が開口部５２ａとオーバーラップするフランジ部６２を有するので、開口部５２ａからごみ等が入るのを抑制することができる。また操作つまみ４５の回動動作のガイドとなり操作つまみ４５の動作が安定する。
【００８７】
また、本発明の回動式スイッチ装置２において、保持部材６０は、カム面６４の略円錐状凹面の頂点側にさらに凹形状が形成され、該凹形状は平面視で操作つまみ４５の回動支点４５ａに向かう方向を長手方向とする長穴６５であることが好ましい。これにより、アクチュエータ３１の略半球状の先端部３１ａの一部が長穴６５に挿入されて、長穴６５の短手方向で縁６５ａに先端部３１ａが当接することによって支持される。
【００８８】
この構成によれば、長穴６５の長手方向が回転半径の変化する方向であり、かつ長穴６５の縁６５ａでアクチュエータ３１の先端部３１ａが支持されるので、よりスムーズな動きになり、負荷変動がなく安定した感触が得られる。
【００８９】
以上のように、本発明の第２実施形態の回動式スイッチ装置２を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００９０】
（１）本実施形態において、一対のスイッチ部材１０が傾動軸２１および回動支点４５ａから見て対称な位置に配設されているとしたが、スイッチ部材１０がいずれか一方だけに配置された回動式スイッチ装置であってもよい。
【００９１】
（２）本実施形態において、保持部材６０は操作つまみ４５と別体で、操作つまみ４５と嵌合保持されているとしたが、保持部材６０は操作つまみ４５と一体成形であってもよい。この場合、操作部６１が開口部５２ａを挿通するように配設されるとともにフランジ部６２が開口部５２ａとオーバーラップするように取り付けられることが好ましい。例えば、上ケース５２を２分割した部材として、これを組み合わせて取り付けるようにすればよい。また、上ケース５２に突出する軸部５２ｂを設ける構成に限定されず、操作つまみ４５に軸部を設け、上ケース５２に設けた穴に嵌合させて軸支させてもよい。
【００９２】
（３）本実施形態において、支持体５０が下ケース５１と上ケース５２と駆動機構部５３とに分割された態様としたが、駆動機構部５３は下ケース５１に一体化された構成であってもよい。また、駆動機構部５３が、下ケース５１に一体化された部材と、上ケース５２に一体化された部材とに分割された態様であってもよい。
【００９３】
（４）本実施形態において、保持部材６０のカム面６４は略円錐状凹面であるとしたが、円錐を縦に２分割して長方形のテーパー面で接続した形状の凹面に限定されるものではない。例えば、アクチュエータ３１の先端部３１ａが移動する範囲より長穴６５の長手方向の長さが長くなるように、長方形のテーパー面を長手方向に十分な長さにすれば、その両側の凹面形状は略円筒状側面６３ａおよび長穴６５に連続するテーパー面形状であればよい。
【００９４】
（５）本実施形態において、駆動体２０の連結軸２２の一端側は全体的には略球形を有し、操作つまみ４５の回動支点４５ａに対向する対向面２２ａ、２２ｂが略平行面で構成されているとしたが、連結軸２２の一端側からの平面視で楕円形となる形状であってもよい。
【００９５】
（６）本実施形態において、操作つまみ４５は回動支点４５ａから操作部６１側に延在した平面視で長方形の形状としたが、操作つまみ４５の外形については任意のデザインが可能である。また、操作つまみ４５が略長方形の外形に限らず、例えば、回動支点４５ａを中心とする略円盤状の外形であってもよい。
【符号の説明】
【００９６】
１、２  回動式スイッチ装置
１０    スイッチ部材
１１    接点部
１２    被押圧部
１５    基板
１６    ラバー部材
２０    駆動体
２１    傾動軸
２２    連結軸
２２ａ、２２ｂ  対向面
２３、２４  腕部
２５、２６  摺動部材
２７、２８  押圧部
３１    アクチュエータ
３１ａ  先端部
３２    コイルバネ
４０    保持部材
４１    操作部
４２    フランジ部
４２ａ  上面
４２ｂ  下面
４３    連結穴
４３ａ  略円筒状側面
４３ｂ  仮想中心線
４４    カム面
４５    操作つまみ
４５ａ  回動支点
５０    支持体
５１    下ケース
５２    上ケース
５２ａ  開口部
５２ｂ  軸部
５３    駆動機構部
５３ａ  支持部
５３ｂ、５３ｃ  摺動部
６０    保持部材
６１    操作部
６２    フランジ部
６２ａ  上面
６２ｂ  下面
６３    連結穴
６３ａ  略円筒状側面
６３ｂ  仮想中心線
６４    カム面
６５    長穴
６５ａ  縁
【図１】
0006410358.tif 000002
【図２】
0006410358.tif 000003
【図３】
0006410358.tif 000004
【図４】
0006410358.tif 000005
【図５】
0006410358.tif 000006
【図６】
0006410358.tif 000007
【図７】
0006410358.tif 000008
【図８】
0006410358.tif 000009
【図９】
0006410358.tif 000010
【図１０】
0006410358.tif 000011
【図１１】
0006410358.tif 000012
【図１２】
0006410358.tif 000013
【図１３】
0006410358.tif 000014
【図１４】
0006410358.tif 000015
【図１５】
0006410358.tif 000016
【図１６】
0006410358.tif 000017
【図１７】
0006410358.tif 000018
【図１８】
0006410358.tif 000019
【図１９】
0006410358.tif 000020